(57)【特許請求の範囲】
【請求項１】
シールド電線の端末部で露出されたシールド層と、前記シールド電線の端末部を覆うシールドシェルとを導通接続させるシールド電線の端末処理構造において、対をなす保持板により前記シールド層の露出部分を挟んで前記シールド電線から鍔状に張り出した状態に保持すると共に、これらの保持板を互いに固着状態にして、その保持板又は前記シールド層を前記シールドシェルに当接させたことを特徴とするシールド電線の端末処理構造。
【請求項２】
請求項１に記載のものにおいて、一方の前記保持板の周縁部から突出して、他方の前記保持板を包囲する囲壁を設け、その囲壁の外周面を前記シールドシェルの内周面に密着させたことを特徴とするシールド電線の端末処理構造。
【請求項３】
前記保持板は、前記シールド層と共に溶着されていることを特徴とする請求項１または２に記載のシールド電線の端末処理構造。
【請求項４】
シールド電線に固着された端子金具を保持するコネクタハウジングと、その端子金具を覆うシールドシェルとを設け、前記シールド電線の端末部で露出されたシールド層と、前記シールドシェルとを導通接続させる部分に、請求項１〜３のいずれかに記載のシールド電線の端末処理構造を備えたことを特徴とするシールドコネクタ。
【発明の詳細な説明】
【０００１】
【発明の属する技術分野】
本発明は、シールド電線の端末処理構造及びシールドコネクタに関する。
【０００２】
【従来の技術】
図７には、従来のシールド電線の端末処理構造の１つが示されている。同図に示すように、シールド電線１の端末において露出した芯線２には、端子金具３が固着され、おなじく露出したシールド層４には、シールドシェル５に一体に設けたバレル部６が工具によって圧着される。そして、このシールド電線１の端末部が、図示しないシールドコネクタに装着される。
尚、このようなものが、特開平７−２４５１５３号公報に掲載されている。
【０００３】
【発明が解決しようとする課題】
ところが、上記した従来のシールド電線の端末処理構造では、バレル部６を圧着するために、シールド層４の露出長を確保しなければならず、シールド電線１の端末処理部分が全体として長くなり、ひいてはシールドコネクタまでも長くなってしまうという問題があった。また、バレル部６をシールド層４に強くかしめても、時間の経過とともにシールド層４の内側の内部絶縁層７が痩せるようにクリープ変形して、バレル部６とシールド層４との接触圧力が弱まり、接続の信頼性を十分に得ることが出なかった。
本発明は、上記事情に鑑みてなされたもので、シールド電線の端末部分をコンパクトにすることが可能なシールド電線の端末処理構造及びシールドコネクタの提供を目的とする。
【０００４】
【課題を解決するための手段及び作用・効果】
＜請求項１の発明＞
請求項１の発明に係るシールド電線の端末処理構造は、シールド電線の端末部で露出されたシールド層と、シールド電線の端末部を覆うシールドシェルとを導通接続させるシールド電線の端末処理構造において、対をなす保持板により前記シールド層の露出部分を挟んで前記シールド電線から鍔状に張り出した状態に保持すると共に、これらの保持板を互いに固着状態にして、その保持板又はシールド層をシールドシェルに当接させたところに特徴を有する。
この構成によれば、シールド層の露出部分を保持板によって鍔状に保持してシールドシェルとシールド層とを接続したから、その接続部分がシールド電線の軸方向でコンパクトになる。また、従来のもののように、シールド電線のクリープ変形を心配する必要がなくなり、接続の信頼性が高まる。さらには、保持版が鍔状のシールド層を挟んで互いに固着状態になっているから、その状態で形状保持能力があり、柔らかいシールド層であっても確実にシールドシェルと接触させることができる。
【０００６】
＜請求項２の発明＞
請求項２の発明は、請求項２記載のものにおいて、一方の保持板の周縁部から突出して、他方の保持板を包囲する囲壁を設け、その囲壁の外周面をシールドシェルの内周面に密着させたところに特徴を有する。
この構成では、保持板に囲壁を設けて、この囲壁とシールドシェルの周面同士を密着させたから、導通面積を広く確保することができ、接続が安定する。
【０００７】
＜請求項３の発明＞
請求項３の発明は、請求項１、２のいずれかに記載のものにおいて、保持板は、シールド層と共に溶着されているところに特徴を有する。
この構成では、シールド層と保持板とが溶着されて確実に導通接続される。
【０００８】
＜請求項４の発明＞
請求項４の発明に係るシールドコネクタは、シールド電線に固着された端子金具を保持するコネクタハウジングと、その端子金具を覆うシールドシェルとを設け、シールド電線の端末部で露出されたシールド層と、シールドシェルとを導通接続させる部分に、請求項１〜３のいずれかに記載のシールド電線の端末処理構造を備えた構成であるから、シールド層とシールドシェルとの接続部分が、シールド電線の軸方向でコンパクトになり、コネクタ全体の小型化が図られる。
【０００９】
【発明の実施の形態】
＜第１実施形態＞
以下、本発明の第１実施形態について、図１〜図４を参照して説明する。
シールド電線１０は、図１に示すように、軸心側から芯線１１、内部絶縁層１２、シールド層１３、外部被覆１４を備えており、そのシールド電線１０の端末部で、前記した芯線１１、内部絶縁層１２及びシールド層１３が先端側から順次に露出されている。
【００１０】
本実施形態のシールドコネクタ２０は、図２に示すように、先端に円筒形のフード部２１を有するコネクタハウジング２２（以下、「ハウジング２２」という）の内部に、キャビティ２３を備える。キャビティ２３内には、前記シールド電線１０の芯線１１に固着された端子金具２４が収容され、その端子金具２４の先端部２４Ａが、前記フード部２１の奥部から前方に突出している。なお、端子金具２４とキャビティ２３との間には、端子金具２４を抜け止めするための図示しない係止機構が備えられている。
【００１１】
上記キャビティ２３の周囲を包囲する位置には、円筒形のシールドシェル２５がハウジング２２に挿入して設けられている。そして、シールドシェル２５の後端部とシールド電線１０のシールド層１３との導通接続部分に本発明に係るシールド電線の端末処理構造が適用されている。即ち、シールド電線１０のうちシールドシェル２５の後端部との対向部分には、第１保持板３１と第２保持板３２とが装着されている。第１保持板３１は、例えば金属板を図１に示すようにドーナッツ板状に打ち抜いて形成され、その中心孔３１Ａは、シールド電線１０の内部絶縁層１２を丁度挿通可能な径寸法となっている。一方、第２保持板３２は、例えば金属板を前記第１保持板３１と外径寸法が等しいドーナッツ板状に打ち抜くと共に、そのドーナッツ部分３４の中心孔３２Ａの縁部から円筒部３３を絞り加工して突出させた構造をなす。また、この円筒部３３の内径は、シールド電線１０の外部被覆１４を丁度挿通可能な径寸法となっている。
【００１２】
なお、ハウジング２２の後端部には、図２に示すように、ハウジング２２とシールド電線１０の外部被覆１４とに共に密着するゴム栓３５が差し込まれ、それがゴム栓押さえ３６にて抜け止めされている。
【００１３】
次に、本実施形態のシールドコネクタ２０をシールド電線１０に取り付ける工程について説明する。まず、シールド電線１０に、ゴム栓押さえ３６、ゴム栓３５を挿通し、さらに、第２保持板３２を円筒部３３の先端側から挿通させてシールド電線１０の外部被覆１４に外嵌させる（図３参照）。この円筒部３３と外部被覆１４との嵌合により、第２保持板３２のドーナッツ部分３４が倒れないように規制されてシールド電線１０から側方に張り出した状態に保持される。そして、同図に示すようにシールド電線１０のうちシールド層１３の露出部分を鍔状に広げてから、図４に示すように第１保持板３１をシールド電線１０に挿通させ、両保持板３１，３２の間に前記シールド層１３の鍔状部分１３Ａを挟む。
【００１４】
次いで、両保持板３１，３２間にシールド層１３を挟んだ状態に保持すべく、例えばレーザー光を第１保持板３１側から照射して部分的に溶かし、第２保持板３２側にシールド層１３と共に溶着させる。
【００１５】
次いで、シールド電線１０の芯線１１に端子金具２４を圧着し、その端子金具２４をシールドコネクタ２０のキャビティ２３内に挿入する。すると、端子金具２４が図示しない係止機構によってキャビティ２３内に抜け止めされると共に、両保持板３１，３２の外周面とシールドシェル２５の内周面とが密着し、もってシールドシェル２５とシールド電線１０とが両保持板３１，３２を介して導通接続される。そして、ゴム栓３５とゴム栓押さえ３６とをハウジング２２内に押し込んで、シールドコネクタの組み付けが完了する。
【００１６】
このように本実施形態によれば、シールド層１３の露出部分を保持板３１，３２によって鍔状に保持してシールドシェル２５とシールド層１３とを接続したから、その接続部分がシールド電線１０の軸方向でコンパクトになり、ひいてはシールドコネクタ全体の小型化が図られる。また、保持板をシールド層１３と共に溶着したから、従来のもののように、シールド電線１０のクリープ変形を心配する必要がなくなり、接続の信頼性が高まる。
【００１７】
＜第２実施形態＞
本実施形態は、図５に示されており、第１保持板３１の周縁部の構造とシールドシェル２５の後端部の構造のみが前記第１実施形態と異なる。その他の構成については上記第１実施形態と同じであるため、同じ構成については同一符号を付して重複説明を省略し、異なる構成についてのみ以下説明する。
【００１８】
本実施形態の第１保持板３１は、その周縁部からフード状の囲壁４１が突出した構造をなす。囲壁４１は、開放端側に向かってテーパ状に僅かに拡開して、第２保持板３２を包囲すると共に、囲壁４１の外周面は、シールドシェル２５の後端部に形成したテーパ部４２の内周面に密着する。
【００１９】
本実施形態の組み付けは、以下のようである。即ち、第２保持板３２のドーナッツ部分３４にシールド層１３を鍔状にして対面させた状態とし、第１保持板３１を囲壁４１の開放端側を先にしてシールド電線１０に挿通させる。すると、囲壁４１の奥部に第２保持板３２が収容されて両保持板３１，３２の間にシールド層１３が挟まれる。そして、これら保持板３１，３２を前記第１実施形態と同様にして溶着する。
【００２０】
次いで、このシールド電線１０をシールドシェル２５の後端部から内部に挿入する。ここで、シールドシェル２５の後端部は、テーパ部４２によって拡開しているから挿入作業を容易に行える。そして、第１保持板３１の囲壁４１の外周面がシールドシェル２５のテーパ部４２の内周面に密着し、シールド層１３とシールドシェル２５とが導通接続される。このように、本実施形態では、第１保持板３１に囲壁４１を設けて、この囲壁４１とシールドシェル２５の周面同士を密着させたから、導通面積を広く確保することができ、接続が安定する。
【００２１】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２２】
（１）前記第１及び第２実施形態では、一対の保持板３１，３２でシールド層１３を挟んでいたが、前記第１実施形態において、第１保持板３１を設けずに、第２保持板３２のみを設け、その第２保持板３２に例えば導電性接着剤でシールド層１３を固着させた構成としてもよい。
【００２３】
（２）前記第２実施形態では、両保持板３１，３２を溶着によってシールド層１３を挟んだ状態に固定していたが、例えば図６に示すように、囲壁４１の先端側に係止突部４３を設け、この係止突部４３の係止にて両保持板３１，３２を固定してもよい。
【図面の簡単な説明】
【図１】本発明の第１実施形態に係るシールド電線及び保持板の斜視図
【図２】シールドコネクタの側断面図
【図３】シールド電線に第２保持板を取り付けた状態の側面図
【図４】シールド電線に両保持板を取り付けた状態の側断面図
【図５】第２実施形態のシールドコネクタの側断面図
【図６】変形例を示す側断面図
【図７】従来のシールド電線の端末処理構造を示す斜視図
【符号の説明】
１０…シールド電線
１３…シールド層
２０…シールドコネクタ
２２…コネクタハウジング
２３…キャビティ
２４…端子金具
２５…シールドシェル
３１…第１保持板
３２…第２保持板
３３…円筒部
３４…ドーナッツ部分
４１…囲壁
【図１】
0003583017.tif 000002
【図２】
0003583017.tif 000003
【図３】
0003583017.tif 000004
【図４】
0003583017.tif 000005
【図５】
0003583017.tif 000006
【図６】
0003583017.tif 000007
【図７】
0003583017.tif 000008